(57)【特許請求の範囲】
【請求項１】
プラスチックボトル容器の胴面に、プラスチックボトル容器の内方に窪む把持部を備えるプラスチックボトル容器において、前記把持部は、左右の斜辺と、水平な天辺と、天辺の左右の端部と左右の斜辺をそれぞれ結ぶ左右の短辺を有する五角形の底面を備え、前記底面には、前記天辺に連接された台形の平らなひさしと、ひさしの左右端辺に連続する周面が連接されており、前記周面は、底面の左右斜辺にそれぞれ連接された左右の内側三角形周面部と、左右の内側三角形周面部の外方斜辺にそれぞれ連接された左右の外側三角形周面部と、左右の外側三角形周面部を互いに結ぶ下方接続三角形周面部と、前記底面の左右の短辺及び前記ひさしの左右端辺に連接された第１の接続三角形周面部と、前記左右の内側三角形周面部の斜辺と外方斜辺の間の狭辺にそれぞれ連接された、左右の第２の接続三角形周面部と、前記第１の接続三角形周面部と第２の接続三角形周面部を結ぶ左右の中間接続三角形周面部とからなるトラス構造に構成されていることを特徴とするプラスチックボトル容器。
【請求項２】
プラスチックボトル容器の胴部の周方向全周に環状くびれ部を設け、この環状くびれ部の一部に前記把持部を設けたことを特徴とする請求項１に記載のプラスチックボトル容器。
【発明の詳細な説明】
【技術分野】
【０００１】
本発明は、プラスチックボトル容器に関し、胴部にプラスチックボトル容器を把持するための把持部を備える、特に容量の大きなプラスチックボトル容器に関する。
【背景技術】
【０００２】
プラスチックボトル容器は、炭酸飲料、果汁飲料、ミネラルウォーター、ウーロン茶、日本茶等の飲料容器として大量に使用されている。また、例えば２リットル程度の大容量のプラスチックボトル容器も使用されている。
このような大容量のプラスチックボトル容器に液体を充填した場合、液体の重さにより、プラスチックボトル容器はかなり重くなる。そのため、プラスチックボトル容器を持ち上げる際には、相当強い力でプラスチックボトル容器の胴部を把持する必要がある。また、胴部を把持する力が強くなると、容器の変形が生じたり、プラスチックボトル容器の胴部を把持した手とプラスチックボトル容器の胴部の間で滑りが生じることがあるため、プラスチックボトル容器を持ち上げにくいことがあった。また、プラスチックボトル容器の胴囲が大きいため、片手でのプラスチックボトル容器の胴部の把持が困難になるという問題があった。
この問題を解決するために、図１に示すように、プラスチックボトル容器の胴部に、複数の斜面７１，７２，７３によって容器内方へ窪む把持部７を設けたプラスチックボトル容器において、前記斜面の一つに、外方に膨らむ凸部７５又は内方に窪む凹部７６を形成したプラスチックボトル容器が提案されている（例えば特許文献１参照）
【特許文献１】特開２００４−２５００６３号公報
【発明の開示】
【発明が解決しようとする課題】
【０００３】
しかしながら、このプラスチックボトル容器は中央の把持部底面７４が細長いために親指とのフィット感が少なく、そのため持ち易さの点で欠けるものであった。
本発明が解決しようとする課題は、プラスチックボトル容器の重量が指に効果的に掛かり、プラスチックボトル容器が指にしっかりと乗ることで持ち易さを向上させた把持部を備えるプラスチックボトル容器を提供するものである。
【課題を解決するための手段】
【０００４】
請求項１に記載の発明は、上記した課題を解決するもので、プラスチックボトル容器の胴面に、プラスチックボトル容器の内方に窪む把持部を備えるプラスチックボトル容器において、前記把持部は、左右の斜辺と、水平な天辺と、天辺の左右の端部と左右の斜辺をそれぞれ結ぶ左右の短辺を有する五角形の底面を備え、前記底面には、前記天辺に連接された台形の平らなひさしと、ひさしの左右端辺に連続する周面が連接されており、前記周面は、底面の左右斜辺にそれぞれ連接された左右の内側三角形周面部と、左右の内側三角形周面部の外方斜辺にそれぞれ連接された左右の外側三角形周面部と、左右の外側三角形周面部を互いに結ぶ下方接続三角形周面部と、前記底面の左右の短辺及び前記ひさしの左右端辺に連接された第１の接続三角形周面部と、前記左右の内側三角形周面部の斜辺と外方斜辺の間の狭辺にそれぞれ連接された、左右の第２の接続三角形周面部と、前記第１の接続三角形周面部と第２の接続三角形周面部を結ぶ左右の中間接続三角形周面部とからなるトラス構造に構成されていることを特徴とするプラスチックボトル容器を要旨とする。
【０００５】
本発明によれば、把持部は、左右の斜辺と、水平な天辺と、天辺の左右の端部と左右の斜辺をそれぞれ結ぶ左右の短辺を有する五角形の底面を備え、この底面の周囲は、天辺に連接された平らなひさしと、このひさしの左右端辺に連続する複数の三角形がつながったトラス構造の周面で囲まれた凹部に形成されているので、親指が把持部の凹部にしっかりフィットし、プラスチックボトル容器の重量が指に効果的に掛かるので、従来のプラスチックボトル容器に比べて持ち易さを格段に向上させた把持部付きプラスチックボトル容器を提供することができる。
【０００６】
また、周面は複数の三角形周面部がつながったトラス構造に構成されているので、周面の機械的強度は高く、把持部の底面が過度に押されて、プラスチックボトル容器内の液体が飛び出すことがなく、また、指を離した後の周面の復元性が良好であり、変形することがない。
【０００７】
把持部の下方は、傾斜した左右の外側三角形周面部とその間の下方接続三角形周面部で構成され、指が入り易く構成され、また、ひさしは、やや傾斜した平面で構成され、指を上方において支承するように構成されているので、指がなじみ易く、把持部に親指を差し込んで、プラスチックボトル容器をしっかり持ち上げることができる。尚、指が把持部にフィットし、プラスチックボトル容器を持ち上げたときの安定感が得られるように、把持部の底面の左右の斜辺間の角度は９０°であることが望ましい。
【０００８】
把持部は、プラスチックボトル容器の胴部の周方向全周に設けた環状くびれ部の一部に設ける。把持部は、プラスチックボトル容器の正面側にのみ設けてもよく、或いは正面側及び背面側の両側に設けても良いが、持ち易さの点から正面側及び背面側の両側に設けるのが望ましい。
【発明の効果】
【０００９】
本発明のプラスチックボトル容器は、プラスチックボトル容器の胴面に、プラスチックボトル容器の内方に窪む把持部を備えるプラスチックボトル容器において、前記把持部は、左右の斜辺と、水平な天辺と、天辺の左右の端部と左右の斜辺をそれぞれ結ぶ左右の短辺を有する五角形の底面を備え、前記底面には、前記天辺に連接された台形の平らなひさしと、ひさしの左右端辺に連続する周面が連接されており、前記周面は、底面の左右斜辺にそれぞれ連接された左右の内側三角形周面部と、左右の内側三角形周面部の外方斜辺にそれぞれ連接された左右の外側三角形周面部と、左右の外側三角形周面部を互いに結ぶ下方接続三角形周面部と、前記底面の左右の短辺及び前記ひさしの左右端辺に連接された第１の接続三角形周面部と、前記左右の内側三角形周面部の斜辺と外方斜辺の間の狭辺にそれぞれ連接された、左右の第２の接続三角形周面部と、前記第１の接続三角形周面部と第２の接続三角形周面部を結ぶ左右の中間接続三角形周面部とからなるトラス構造に構成されていることを特徴とし、把持部が、５角形の底面と、周囲が平らなひさしとこのひさしの左右端辺に連続する複数の三角形がつながったトラス構造の周面で囲まれた、全体がダイヤモンドの形状に似た形状の凹部に形成されているので、把持部の凹部に指がしっかりフィットし、プラスチックボトル容器の重量が指に効果的に掛かるので、従来のプラスチックボトル容器に比べて持ち易さを格段に向上させた把持部付きプラスチックボトル容器を提供することができる。また、周面部は複数の三角形周面部がつながったトラス構造に構成されているので、周面部の機械的強度は高く、把持部を過度に押すことによりプラスチックボトル容器内の液体が飛び出すことがなく、また、指を離した後の周面の復元性が良好であり、変形することがない。
【発明を実施するための最良の形態】
【００１０】
次に図面を用いて本発明を実施するための最良の形態について説明する。
【００１１】
図２は本発明のプラスチックボトル容器の正面図である。図３は本発明のプラスチックボトル容器の側面図である。図４は本発明のプラスチックボトル容器の斜視図である。図５は把持部の拡大正面図である。図６は図５に示すＡ−Ａ線矢視断面図である。
【００１２】
本発明のプラスチックボトル容器は、プラスチックボトル容器１の胴面２に周方向全周に形成した環状くびれ部３に形成した、プラスチックボトル容器１の内方に窪む把持部４を備える。この把持部４は、左右の斜辺５、６と、水平な天辺７と、天辺７の左右の端部と左右の斜辺５、６をそれぞれ結ぶ左右の短辺８、９を有する五角形の底面１０を備える。前記底面１０には、その天辺７に連接された台形の平らなひさし１１と、このひさしの左右端辺に連続した周面１２が連接されている。この周面１２は、底面１０の左右の斜辺５、６にそれぞれ連接された左右の内側三角形周面部１３、１４と、左右の内側三角形周面部１３、１４の外方斜辺１５、１６にそれぞれ連接された左右の外側三角形周面部１７、１８と、左右の外側三角形周面部１７、１８を互いに結ぶ下方接続三角形周面部１９と、底面１０の左右の短辺８、９及びひさし１１の左右端辺に連接された、左右の第１の接続三角形周面部２０、２１と、前記左右の内側三角形周面部１３，１４の斜辺５、６と外方斜辺１５、１６の間の狭辺にそれぞれ連接された、左右の第２の接続三角形周面部２２、２３と、前記第１の接続三角形周面部２０、２１と第２の接続三角形周面部２２、２３を結ぶ左右の中間接続三角形周面部２４、２５とからなるトラス構造に構成されている。
【００１３】
本発明においては、把持部４が、５角形の底面１０と、周囲が、台形の平らなひさし１１とこのひさし１１の左右端辺に連続した複数の三角形がつながったトラス構造の周面１２で囲まれた、全体がダイヤモンドの形状に似た形状の凹部に形成されているので、把持部４の凹部に指がしっかりフィットし、プラスチックボトル容器１の重量が指に効果的に掛かるので、従来のプラスチックボトル容器に比べて持ち易さを格段に向上している。また、把持部４は、左右対称の形状を有するので左右の何れの方向からでも指をしっかりフィットさせることができる。
【００１４】
把持部４の下方は傾斜した外側三角形周面部１７、１８と下方接続三角形周面部１９で構成され、指が入り易く構成され、また、ひさし１１は図６に示すようにやや傾斜した平面で構成され、指を上方において支承するように構成されているので、指がなじみ易く、把持部に親指を差し込んでプラスチックボトル容器１をしっかり持ち上げることができる。尚、把持部４の下方において、指が把持部にフィットし、プラスチックボトル容器１を持ち上げたときの安定感が得られるように、把持部４の底面１０の左右の斜辺５、６間の角度は９０°であることが望ましい。
【００１５】
本発明において、把持部４は、プラスチックボトル容器１の胴部２の周方向全周に設けた環状くびれ部３の一部に設ける。把持部４はプラスチックボトル容器１の正面側にのみ設けても良く、或いは正面側及び背面側の両側に設けても良いが、持ち易さの点から正面側及び背面側の両側に設けるのが望ましい。
【００１６】
周面１２は複数の三角形周面部がつながったトラス構造に構成されているので、周面１２の機械的強度は高く、把持部４の底面１０が過度に押されて、プラスチックボトル容器内の液体が飛び出すことがなく、また、指を離した後の周面１２の復元性が良好であり、変形することがない。
【００１７】
本発明のプラスチックボトル容器１は、通常のプラスチックボトル容器の成形法により成形することができる。例えば、プリフォームを延伸ブロー成形することにより得ることができる。
【００１８】
本発明において、プラスチックボトル容器を形成する材料としては、例えばポリエチレンテレフタレート、ポリブチレンテレフタレート、ポリエチレンナフタレート、ポリカーボネート、ポリアリレート、又はこれらの共重合体等の熱可塑性ポリエステル、これらの樹脂或いは他の樹脂とのブレンド物が好適であり、特にポリエチレンテレフタレート等のエチレンテレフタレート系ポリエステルがを好適に使用することができる。また、アクリロニトリル樹脂、ポリプロピレン、プロピレン−エチレン共重合体、ポリエチレン等も使用することができる。
【００１９】
本発明は、上記の実施形態に限定されるものではなく、図７に示すように多数のリブ２６を備えるプラスチックボトル容器にも適用することができる。
【産業上の利用可能性】
【００２０】
本発明は、胴部にボトル容器を把持するための把持部を備える、特に容量の大きい、例えば２ｌ程度の、炭酸飲料、果汁飲料、ミネラルウォーター、ウーロン茶、日本茶等の飲料容器に利用することができる。
【図面の簡単な説明】
【００２１】
【図１】特許文献１に記載の把持部を正面図である。
【図２】本発明のプラスチックボトル容器の正面図である。
【図３】本発明のプラスチックボトル容器の側面図である。
【図４】本発明のプラスチックボトル容器の斜視図である。
【図５】本発明のプラスチックボトル容器の把持部の拡大正面図である。
【図６】図５に示すＡ−Ａ線矢視断面図である。
【図７】本発明のプラスチックボトル容器の別の実施の形態を示す斜視図である。
【符号の説明】
【００２２】
１    プラスチックボトル容器
２    胴面
３    環状くびれ部
４    把持部
５    底面の斜辺
６    底面の斜辺
７    底面の天辺
８    底面の短辺
９    底面の短辺
１０  底面
１１  ひさし
１２  周面
１３  内側三角形周面部
１４  内側三角形周面部
１５  内側三角形周面部１３の外方斜辺
１６  内側三角形周面部１４の外方斜辺
１７  外側三角形周面部
１８  外側三角形周面部
１９  下方三角形周面部
２０  第１の接続三角形周面部
２１  第１の接続三角形周面部
２２  第２の接続三角形周面部
２３  第２の接続三角形周面部
２４  中間接続三角形周面部
２５  中間接続三角形周面部
２６  リブ
【図１】
0004748359.tif 000002
【図２】
0004748359.tif 000003
【図３】
0004748359.tif 000004
【図４】
0004748359.tif 000005
【図５】
0004748359.tif 000006
【図６】
0004748359.tif 000007
【図７】
0004748359.tif 000008